(57)【要約】【課題】使用者毎に異なる瞳孔間距離の調節ができ、簡易な構成で且つ組立て製造が容易な立体映像用スコープ及びその組立てキットを提供すること。【解決手段】本発明の立体映像用スコープ１は、支持筐体３と、支持筐体にスライド可能に設けた左右のミラー筐体５、５とを備え、左右のミラー筐体５、５はそれぞれ２枚のミラー２９、３１を収納して支持筐体３に対して左右にスライド可能に設けてあり、支持筐体３は左右のミラー筐体５，５のスライドを案内するガイド部２１を備え、ガイド部２１には係止部２５が設けられ、係止部２５は左右のミラー筐体５、５が互いに離れる方向にスライドしたときに、左右のミラー筐体５、５に設けた被係止部２４に係止して、支持筐体３から左右のミラー筐体５、５の抜けを防止している。【選択図】    図４
2004191815.tif 000002
【特許請求の範囲】
【請求項１】
支持筐体と、支持筐体にスライド可能に設けた左右のミラー筐体とを備え、左右のミラー筐体はそれぞれ２枚のミラーを収納して支持筐体に対して左右にスライド可能に設けてあり、対物窓からの入射光を２枚のミラーに反射させて接眼窓に出射するようになっており、支持筐体は左右のミラー筐体のスライドを案内するガイド部を備え、ガイド部には係止部が設けられ、係止部は左右のミラー筐体が互いに離れる方向にスライドしたときに、左右のミラー筐体に設けた被係止部に係止して、支持筐体から左右のミラー筐体の抜けを防止していることを特徴とする立体映像用スコープ。
【請求項２】
支持筐体は中空を有する略直方体形状であり、ミラー筐体は使用しない場合に支持筐体内に収納可能であることを特徴とする請求項１に記載の立体映像用スコープ。
【請求項３】
互いにスライド可能に係合した左右のミラー筐体を備え、左右のミラー筐体はそれぞれ２枚のミラーを収納して支持筐体に対して左右にスライド可能に設けてあり、対物窓からの入射光を２枚のミラーに反射させて接眼窓に出射するようになっており、左右のミラー筐体は互いに係合してスライドを案内するガイド部を備え、ガイド部には係止部が設けられ、係止部は左右のミラー筐体が互いに離れる方向にスライドしたときに、左右のミラー筐体に設けた被係止部に係止して、左右のミラー筐体の抜けを防止していることを特徴とする立体映像用スコープ。
【請求項４】
請求項２又は３に記載の立体映像用スコープにおいて、支持筐体と左右のミラー筐体とは、それぞれ折り目を形成してある展開シートを組立てて構成してあり、各展開シート及び合計４枚のミラーを枠付きシートの枠内に収めてあることを特徴とする立体映像用スコープの組立てキット。
【発明の詳細な説明】
【０００１】
【発明の属する技術分野】
本発明は、２つの平面画像を同時に見ることにより一つ立体映像を見ることができる立体映像用スコープ及びその組立てキットに関する。
【０００２】
【従来の技術】
特許文献１には、一つの筐体の左右に２枚づつ合計４枚のミラーを配置した立体映像用スコープが開示されている。この技術では、筐体内に４つのミラーを固定しており、左右の接眼窓から横に並べた２つの同じ画像を同時に見ることにより、立体映像を得るものである。
【０００３】
また、特許文献２には、互いに左右にスライド可能な２つの左右の筐体を設け、左右の各筐体内にプリズムを一つづつ設け、使用者の瞳孔間距離に応じて左右のプリズム筐体をスライドさせて接眼窓の位置を調節可能にした構成が開示されている。
【０００４】
【特許文献１】
特開平７−３０６３８３号公報
【特許文献２】
特開平５−１１２１４号公報
【０００５】
【発明が解決しようとする課題】
しかし、特許文献１に開示の技術では、一つの筐体内に４つのミラーを固定しているので、使用者の瞳孔間距離に応じて接眼窓の位置調節できないという問題があった。
【０００６】
一方、特許文献２に開示の技術では、左右のプリズム筐体が左右にスライド可能であるため、使用者の瞳孔間距離に応じて調節可能であるが、各プリズムはその前面と後面とを同一半径の球面状とする必要があるので、プリズムの成形に手間がかかるとともに高価になるという問題がある。
【０００７】
本発明は、上述した事情に鑑みなされたもので、使用者毎に異なる瞳孔間距離の調節ができ、簡易な構成で且つ組立て製造が容易な立体映像用スコープ及びその組立てキットの提供を目的とする。
【０００８】
【課題を解決するための手段】
上記目的を達成するために、請求項１に記載の発明は、支持筐体と、支持筐体にスライド可能に設けた左右のミラー筐体とを備え、左右のミラー筐体はそれぞれ２枚のミラーを収納して支持筐体に対して左右にスライド可能に設けてあり、対物窓からの入射光を２枚のミラーに反射させて接眼窓に出射するようになっており、支持筐体は左右のミラー筐体のスライドを案内するガイド部を備え、ガイド部には係止部が設けられ、係止部は左右のミラー筐体が互いに離れる方向にスライドしたときに、左右のミラー筐体に設けた被係止部に係止して、支持筐体から左右のミラー筐体の抜けを防止していることを特徴とする。
【０００９】
この請求項１に記載の発明では、左右のミラー筐体から横に並べた２つの平面画像（左から見た平面画像と右から見た平面画像）を左右のミラー筐体から同時に見ることにより、立体画像が見えるものである。
【００１０】
左右のミラー筐体は、支持筐体に対してスライド可能に係合しているので、左右のミラー筐体をそれぞれ製造（又は組立て）した後に支持筐体をかぶせて支持筐体を左右のミラー筐体に嵌合できるので、製造が容易であり且つ組立て性に優れる。
【００１１】
また、左右のミラー筐体には、２枚のミラーを固定するだけなので、成形や製造し難いプリズムを用いる場合に比較して安価に且つ容易に製造できる。
【００１２】
更に、左右のミラー筐体は支持筐体に取り付けられているので、使用時には支持筐体を顔に当てて、左右のミラー筐体を支持筐体に対して個々にスライドして位置調整ができるので、安定性が良く、同じ使用者が再度映像を見る場合にも前に調節したままで使用できる。しかも、ミラー筐体は支持筐体に保持されているので強度が高く、例えば、紙や樹脂シートからこれらの筐体を組立てた場合にも損傷し難い。
【００１３】
特に、携帯時にも各ミラー筐体は、支持筐体内に保持されているから、携帯時にもスライド係合部分の損傷を防止できる。
また、スライドした時には、所定以上に支持筐体からミラー筐体を引き出そうとすると係止部と被係止部とが係止して、支持筐体からの抜けを防止するので、支持筐体と左右のミラー筐体との一体性を保持できる。
【００１４】
請求項２に記載の発明は、請求項１に記載の発明において、支持筐体は中空を有する略直方体形状であり、ミラー筐体は使用しない場合に支持筐体内に収納可能であることを特徴とする。
【００１５】
この請求項２に記載の発明では、請求項１に記載の発明と同様な作用効果を奏するとともに、非使用時には支持筐体内にミラー筐体が収納されているので、コンパクトで携帯しやすく且つミラー筐体が外力等を受けて生じる歪みを防止できる。
【００１６】
請求項３に記載の発明は、互いにスライド可能に係合した左右のミラー筐体を備え、左右のミラー筐体はそれぞれ２枚のミラーを収納して支持筐体に対して左右にスライド可能に設けてあり、対物窓からの入射光を２枚のミラーに反射させて接眼窓に出射するようになっており、左右のミラー筐体は互いに係合してスライドを案内するガイド部を備え、ガイド部には係止部が設けられ、係止部は左右のミラー筐体が互いに離れる方向にスライドしたときに、左右のミラー筐体に設けた被係止部に係止して、左右のミラー筐体の抜けを防止していることを特徴とする。
【００１７】
この請求項３に記載の発明では、請求項１に記載の発明と同様に、使用者毎に異なる瞳孔間距離の調節ができ、簡易な構成で且つ組立て製造が容易である。
【００１８】
請求項４に記載の発明は、請求項２又は３に記載の立体映像用スコープにおいて、支持筐体と左右のミラー筐体とは、それぞれ折り目を形成してある展開シートを組立てて構成してあり、各展開シート及び合計４枚のミラーを枠付きシートの枠内に収めてあることを特徴とする。
【００１９】
この請求項４に記載の発明では、請求項２又は３に記載の発明と同様な作用効果を得ることができるとともに、各筐体の展開シートとミラーとを枠付きシートの枠内に収めることにより、厚みの薄い嵩張らない組立てキットにでき、例えば、雑誌や書籍の付録品等として用いることができる。また、嵩張らないので、包装、搬送及び郵送が簡易である。
【００２０】
【発明の実施の形態】
以下に、添付図面の図１〜図９を参照して本発明の実施の形態を詳細に説明する。図１は本実施の形態にかかる立体映像用スコープの斜視図であり、図２はその上部を切断して内側を接眼窓側から示した斜視図であり、図３は図２に示す立体映像用スコープを対物窓側から見た斜視図であり、図４は支持筐体の上部を開いた状態の斜視図であり、図５はミラー筐体内側部の展開シートとミラーとの平面図であり、図６はミラー筐体外側部の展開シートを示す平面図であり、図７は支持筐体の対物側部の展開シートを示す平面図であり、図８は支持筐体の接眼側部の展開シートを示す平面図であり、図９は立体画像の原理を示す模式図である。
【００２１】
本実施の形態にかかる立体映像用スコープ１は、支持筐体３と、左右のミラー筐体５とから構成されており、支持筐体３の内側にミラー筐体５が左右にスライド自在に設けられている。
【００２２】
支持筐体３は、対物側壁部７と底部９と接眼側壁１１と上部１３とが一体に構成されており、これらは２枚の展開シート１５（図７参照）、１６（図８参照）を折り曲げて略直方体形状に形成されている。尚、この支持筐体３の展開シート１５、１６及び後述するミラー筐体５の２つの展開シート１８、２０はそれぞれ紙製である。
【００２３】
接眼側壁１１には、接眼用開口１７が左右に横長に形成されており、左右に移動するミラー筐体５の接眼窓（後述する）１９が何れの位置にきても露出できるようになっている。
【００２４】
支持筐体３には上部１３の内側に、左右のミラー筐体５の左右方向へのスライドを案内するガイド部２１が設けられており、後述するミラー筐体５、５の被ガイド部２３を案内するようになっている。
【００２５】
ガイド部２１には、支持筐体３の左右方向中央側に凹みにより段状に形成した係止部２５が設けられており、ミラー筐体５、５が互いに離れる方向にスライドしたときの抜けを防止している。
【００２６】
左右のミラー筐体５，５は、それぞれ、直方体形状であり、筐体５、５内には２枚のミラー２９、３１が固定されている。２枚のミラーは対物ミラー２９と、接眼ミラー３１とであり、これらの組み合わせにより、接眼窓１９から画像の光を受けるようになっている。
ミラー筐体５、５は、それぞれ、基体３３と基体３３に被せる外郭体３５とを備えており、外郭体３５には、上部に被ガイド部２３が形成されており、被ガイド部には凸状の被係止部２４が形成されている。
【００２７】
また、ミラー筐体５、５には、対物窓３７と接眼窓１９とが形成されており、接眼窓１９の開口は略瞳の大きさとしてあり、対物窓３７よりも小さい。
【００２８】
支持筐体３及び左右のミラー筐体５、５は、それぞれ図５〜図８に示すように、展開シート１８、２０、１５、１６を破線で示す折り目を谷折りして組立てられている。
【００２９】
次に、本実施の形態にかかる立体映像用スコープ１及びその組立てキットの作用について説明する。
【００３０】
図９に示すように、使用者は左右のミラー筐体５、５から横に並べた２つの平面画像Ａ１（左から見た平面画像）、Ａ２（右から見た平面画像）を同時に見ることにより、左右のミラー筐体５、５の対物ミラー２９及び接眼ミラー３１を介して各画像の虚像Ｓ１、Ｓ２に重なりが生じて立体画像が見えるものである。
【００３１】
立体映像用スコープ１の使用時には、使用者は支持筐体３を持って立体映像用スコープ１を顔にあて、左右のミラー筐体５、５の位置を調節する。使用者により瞳孔間距離が異なるからである。調節は、左右のミラー筐体５（５）のいずれか一方で一方の画像Ａ１（又はＡ２）を覗き、次に他方のミラー筐体５（５）から他方の画像Ａ２（又はＡ１）を覗くが、このときに他方のミラー筐体５を支持筐体３に対して横方向にスライドさせて、位置調節する。
【００３２】
スライドした時には、所定以上に支持筐体３からミラー筐体５、５を引き出そうとするとガイド部２１に設けてある係止部２５と、被ガイド部２３に設けてある被係止部２４とが係止して、支持筐体３からの抜けを防止する。
【００３３】
本実施の形態では、支持筐体３に対してミラー筐体５、５を個々にスライドして位置調整ができるので、安定性が良い。また、ミラー筐体５、５は支持筐体３に保持されているので強度が高く、紙製シートからこれらの筐体３、５、５を組立てた場合にも損傷し難い。
【００３４】
立体用スコープを組立てるときには、まず図７及び図８に示す支持筐体３の２つの展開シート１５、１６と、図５及び図６に示すミラー筐体５の２つの展開シート１８、２０を破線で示す折り目を折って組立て、展開シートに形成された各溝４１、４３に対物ミラー２９及び接眼ミラー３１をそれぞれ嵌合して固定する。左右のミラー筐体５、５をそれぞれ組立てた後に支持筐体３をかぶせて、支持筐体３に左右のミラー筐体５、５を嵌合できるので、製造が容易であり且つ組立て性に優れる。
各筐体３、５、５の展開シート１８、１８、２０、２０、１５、１６と合計４つのミラー２９、２９、３１、３１とは、枠付きシートの枠内に収められており、厚みの薄い嵩張らない組立てキットとしている。尚、本実施の形態では、本の付録として本に添付されている。また、この組立てキットは、本の付録とするほか、単独で販売しても嵩張らないので、包装、搬送及び郵送が簡易である。
【００３５】
本発明は、上述した実施の形態に限定されず、本発明の要旨を逸脱しない範囲で種々変形可能である。
例えば、支持筐体３とミラー筐体５、５とは紙製の展開シート１８、２０、１５、１６を折って組立てるものに限らず、成形した樹脂材料製であっても良い。
【００３６】
また、図１０に示すように、支持筐体３はなく、左右のミラー筐体５、５が対向する側に、互いにスライドするガイド部２１と被ガイド部２３を設け、ガイド部２１と被ガイド部２３との先端に係止部２５と被係止部２４とを設けるものであってもよい。
【００３７】
図１１及び図１２に示すように、折り畳み自在なフレーム５１を設け、フレーム５１を耳にかけて使用するものであってもよい。
【００３８】
図１３及び図１４に示すように、折り畳み自在な脚片５３を設け、脚片５３を机等の台に立設させて用いるものであってもよい。
【００３９】
【発明の効果】
請求項１に記載の発明によれば、左右のミラー筐体は、支持筐体に対してスライド可能に係合しているので、左右のミラー筐体をそれぞれ製造（又は組立て）した後に支持筐体をかぶせて、支持筐体に左右のミラー筐体を嵌合できるので、製造が容易であり且つ組立て性に優れる。
【００４０】
左右のミラー筐体には、２枚のミラーを固定するだけなので、成形や製造し難いプリズムを用いる場合に比較して、安価に且つ容易に製造できる。
【００４１】
左右のミラー筐体は支持筐体に取り付けられているので、使用時には支持筐体を顔に当てて、左右のミラー筐体を支持筐体に対して個々にスライドして位置調整ができるので、安定性が良く、同じ使用者が再度映像を見る場合にも前に調節したままで使用できる。しかも、ミラー筐体は支持筐体に保持されているので強度が高く、例えば、紙や樹脂シートからこれらの筐体を組立てた場合にも損傷し難い。特に、携帯時にも各ミラー筐体は、支持筐体内に保持されているから、携帯時にもスライド係合部分の損傷を防止できる。
所定以上に支持筐体からミラー筐体を引き出そうとすると係止部と被係止部とが係止して、支持筐体からの抜けを防止するので、支持筐体と左右のミラー筐体との一体性を保持できる。
【００４２】
請求項２に記載の発明によれば、請求項１に記載の発明と同様な効果を奏するとともに、被使用時には支持筐体内にミラー筐体が収納されているので、コンパクトで携帯しやすく且つミラー筐体が外力等を受けて生じる歪みを防止できる。
【００４３】
請求項３に記載の発明によれば、請求項１に記載の発明と同様に、使用者毎に異なる瞳孔間距離の調節ができ、簡易な構成で且つ組立て製造が容易であるという効果を得ることができる。
【００４４】
請求項４に記載の発明によれば、請求項２又は３に記載の発明と同様な効果を得ることができるとともに、各筐体の展開シートとミラーとを枠付きシートの枠内に収めることにより、厚みの薄い嵩張らない組立てキットにでき、例えば、雑誌や書籍の付録品等として用いることができる。また、嵩張らないので、包装、搬送及び郵送が簡易である。
【図面の簡単な説明】
【図１】本実施の形態にかかる立体映像用スコープの斜視図である。
【図２】図１に示す立体映像用スコープの上部を切断して内側を接眼窓側から示した斜視図である。
【図３】図２に示す立体映像用スコープを対物窓側から見た斜視図である。
【図４】図４は支持筐体の上部を開いた状態の斜視図である。
【図５】ミラー筐体内側部の展開シートとミラーとの平面図である。
【図６】ミラー筐体外側部の展開シートを示す平面図である。
【図７】支持筐体の対物側部の展開シートを示す平面図である。
【図８】支持筐体の接眼側部の展開シートを示す平面図である。
【図９】立体画像の原理を示す模式図である。
【図１０】他の実施の形態にかかる立体映像用スコープにおいて、左右のミラー筐体のスライド係合部を示す断面図である。
【図１１】他の実施の形態にかかる立体映像用スコープの斜視図である。
【図１２】図１１に示す立体映像用スコープのフレームを折り畳んだ状態を示す斜視図である。
【図１３】他の実施の形態にかかる立体映像用スコープの斜視図である。
【図１４】図１４に示す立体映像用スコープの脚片を折り畳んだ状態を示す斜視図である。
【符号の説明】
１      立体映像用スコープ
３      支持筐体
５、５  ミラー筐体
１５    展開シート（支持筐体）
１９    接眼窓
２１    ガイド部
２３    被ガイド部
２５    係止部
２９    対物ミラー（ミラー）
３１    接眼ミラー（ミラー）
【図１】
2004191815.tif 000003
【図２】
2004191815.tif 000004
【図３】
2004191815.tif 000005
【図４】
2004191815.tif 000006
【図５】
2004191815.tif 000007
【図６】
2004191815.tif 000008
【図７】
2004191815.tif 000009
【図８】
2004191815.tif 000010
【図９】
2004191815.tif 000011
【図１０】
2004191815.tif 000012
【図１１】
2004191815.tif 000013
【図１２】
2004191815.tif 000014
【図１３】
2004191815.tif 000015
【図１４】
2004191815.tif 000016